【手続補正書】
【提出日】平成19年12月10日(2007.12.10)
【手続補正１】
【補正対象書類名】明細書
【補正対象項目名】特許請求の範囲
【補正方法】変更
【補正の内容】
【特許請求の範囲】
【請求項１】  ポリイミド、ポリアミド酸及びそのエステルのクラスからの光活性ポリマーであって、一般式Ｉ：
【化１】
2003520878.tif 000001
〔式中、破線はポリイミド主鎖への結合点を示し、
Ａは、場合によりフッ素、塩素、シアノから選択される基によるか、又はＣ1‐18環式、直鎖状若しくは分岐鎖状のアルキル残基（これは、場合により１個のシアノ基又は１個以上のハロゲン原子で置換されており、そして、場合により、アルキルの隣接しない１個以上の−ＣＨ2−基は、基Ｑで置き換えられている）で置換されている、ピリミジン−２，５−ジイル、ピリジン−２，５−ジイル、２，５−チオフェニレン、２，５−フラニレン、１，４−若しくは２，６−ナフチレン又はフェニレンを表し；
Ｂは、非置換か、シアノ若しくはハロゲンで単置換されているか、又はハロゲンで多置換されている、炭素原子３〜１８個を有する直鎖状又は分岐鎖状のアルキル残基（ここで、隣接しない１個以上のＣＨ2基は、独立して基Ｑで置き換えられていてもよい）であり；
Ｃ1及びＣ2は、互いに独立して、芳香族又は脂環式基（これは、非置換か、あるいはフッ素、塩素、シアノ又は環式、直鎖状若しくは分岐鎖状のアルキル残基（これは、非置換か、シアノ若しくはハロゲンで単置換されているか、又はハロゲンで多置換されており、炭素原子１〜１８個を有し、隣接しない１個以上のＣＨ2基は、独立して基Ｑで置き換えられていてもよい）で置換されている）を表し；
Ｄは、酸素原子又は−ＮＲ1−（ここで、Ｒ1は、水素原子又は低級アルキルを表す）を表し；
Ｓ1及びＳ2は、互いに独立して、共有単結合又はスペーサ単位を表し；
Ｓ3は、スペーサ単位を表し；
Ｑは、−Ｏ−、−ＣＯ−、−ＣＯ−Ｏ−、−Ｏ−ＣＯ−、−Ｓｉ（ＣＨ3）2−Ｏ−Ｓｉ（ＣＨ3）2−、−ＮＲ1−、−ＮＲ1−ＣＯ−、−ＣＯ−ＮＲ1−、−ＮＲ1−ＣＯ−Ｏ−、−Ｏ−ＣＯ−ＮＲ1−、−ＮＲ1−ＣＯ−ＮＲ1−、−ＣＨ＝ＣＨ−、−Ｃ≡Ｃ−及び−Ｏ−ＣＯ−Ｏ−（ここで、Ｒ1は、水素原子又は低級アルキルを表す）から選択される基を表し；
ｎ1及びｎ2は、互いに独立して、０又は１であり；そして
Ｘ、Ｙは、互いに独立して、水素、フッ素、塩素、シアノ、場合よりフッ素で置換され、炭素原子１〜１２個を有するアルキル（ここで、場合により隣接しない１個以上のＣＨ2基は、−Ｏ−、−ＣＯ−Ｏ−、−Ｏ−ＣＯ−及び／又は−ＣＨ＝ＣＨ−で置き換えられている）を表す〕
で示される光架橋性基を側鎖として含むことを特徴とする光活性ポリマー。
【請求項２】  基Ｓ1及びＳ2が、共有単結合、−Ｏ−、−ＣＯ−Ｏ−、−Ｏ−ＣＯ−、−ＮＲ1−、−ＮＲ1−ＣＯ−、−ＣＯ−ＮＲ1−、−ＮＲ1−ＣＯ−Ｏ−、−Ｏ−ＣＯ−ＮＲ1−、−ＮＲ1−ＣＯ−ＮＲ1−、−ＣＨ＝ＣＨ−、−Ｃ≡Ｃ−、−Ｏ−ＣＯ−Ｏ−及び直鎖状又は分岐鎖状のアルキレン基（ここで、場合によりアルキレンの隣接しない２個又は３個の−ＣＨ2−基は、独立して基Ｑ（ここでＱは、請求項１と同義である）で置き換えられており、Ｒ1が水素原子又は低級アルキルを表す（但し、アルキレン基の鎖炭素原子の合計数が２４を超えないことを条件とする））から選択される、請求項１に記載のポリマー。
【請求項３】  基Ｓ3が、非置換か、シアノ若しくはハロゲンで単置換されているか、又はハロゲンで多置換されている、炭素原子６〜２４個を有する直鎖状又は分岐鎖状のアルキレン残基（ここで、１個以上の隣接しないＣＨ2基は、独立して芳香族、脂環式又は基Ｑ（ここでＱは請求項１と同義である）で置き換えられていてもよい）を含む、請求項１又は２に記載のポリマー。
【請求項４】  主鎖が、一般式II、IV及びVIのイミド基並びに／又は一般式III、Ｖ及びVIIの類似のアミド酸基及びアミド酸エステル基：
【化２】
2003520878.tif 000002
2003520878.tif 000003
〔式中、
破線は、Ｓ3への結合を示し、
Ｔ1は、四価の有機基を表し；
Ｔ2及びＴ3は、それぞれ独立して、場合によりフッ素、塩素、シアノ及びＣ1‐18環式、直鎖状又は分岐鎖状のアルキル残基（これは、場合により１個以上のハロゲン基で置換されており、そして場合によりアルキルの隣接しない１個以上の−ＣＨ2−基は、独立して−Ｏ−、−ＣＯ−、−ＣＯ−Ｏ−、−Ｏ−ＣＯ−、−ＣＨ＝ＣＨ−及び−Ｃ≡Ｃ−から選択される基で置き換えられている）から選択される基で置換されている、三価の芳香族又は脂環式基を表し；
Ｓ4〜Ｓ8は、それぞれ独立して、共有単結合及びＣ1‐24直鎖状又は分岐鎖状のアルキレン残基（これは、場合により１個のシアノ基又は１個以上のハロゲン原子で置換されており、そして場合により、アルキレンの隣接しない１個以上の−ＣＨ2−基は、独立して基Ｑで置き換えられている）から選択され；
Ｅは、窒素原子、基−ＣＲ1−（ここで、Ｒ1は、水素原子又は低級アルキルを表す）及び芳香族若しくは脂環式の二価、三価又は四価の基（場合によりフッ素、塩素、シアノ及びＣ1‐18環式、直鎖状又は分岐鎖状のアルキル残基（これは、場合により１個のシアノ基又は１個以上のハロゲン原子で置換されており、そして場合により、隣接しない１個以上の−ＣＨ2−基は、独立して−Ｏ−、−ＣＯ−、−ＣＯ−Ｏ−、−Ｏ−ＣＯ−、−ＣＨ＝ＣＨ−及び−Ｃ≡Ｃ−から選択される基で置き換えられている）から選択される１個以上の基で置換されている）を含む群から選択され；
Ｆは、脂肪族、脂環式又は芳香族の二価の基を表し；そして
Ｇは、水素原子又は一価の有機基を表す〕
を含むモノマー単位から構成される、請求項１〜３のいずれか１項に記載のポリマー。
【請求項５】  四価の有機基Ｔ1が、脂肪族、脂環式又は芳香族のテトラカルボン酸二無水物から誘導される、請求項４記載のポリマー。
【請求項６】  基Ｔ2及びＴ3の１個以上が、脂肪族、脂環式又は芳香族のジカルボン酸無水物から誘導される、請求項４又は５記載のポリマー。
【請求項７】  固有粘度（ηinh＝1nηrel/Ｃ）が、溶媒としてＮ−メチル−２−ピロリドンを使用した０．５ｇ/１００mlの濃度でポリマーを含有する溶液について、その粘度を３０℃で測定することにより決定され、固有粘度０．０５〜１０dL/gの範囲を有する、請求項１〜６のいずれか１項に記載のポリマー。
【請求項８】  モノマー単位２〜２，０００を含有する、請求項１〜７のいずれか１項に記載のポリマー。
【請求項９】  シラン含有化合物、エポキシ含有架橋剤、光増感剤、光ラジカル発生及び/又は陽イオン光開始剤を更に含む、請求項１〜８のいずれか１項に記載のポリマー。
【請求項１０】  請求項１〜９のいずれか１項に記載のポリマーを、架橋形態で含むポリマー層。
【請求項１１】  １種以上のポリマーを支持体に適用し、そして必要であるならば、任意のイミド化工程の後、ポリマー又はポリマー混合物を直線偏光を照射して架橋することを含む、請求項１０記載のポリマー層の作製方法。
【請求項１２】  請求項１〜９のいずれか１項記載のポリマーの１種以上を架橋形態で含む、液晶用の配向層。
【請求項１３】  請求項１２に記載の配向層を含む光学構造化エレメント。
【請求項１４】  請求項１〜９のいずれか１項記載のポリマーの１種以上を架橋形態で含む、光学素子又は電気光学素子。
【請求項１５】  液晶用の配向層としての、架橋形態での、請求項１〜９のいずれか１項記載のポリマーの使用。
【請求項１６】  非構造化及び/又は構造化光学エレメントの構築における、架橋形態での、請求項１〜９のいずれか１項記載のポリマーの使用。
【請求項１７】  多層系の構築における、架橋形態での、請求項１〜９のいずれか１項記載のポリマーの使用。